(57)【要約】【課題】  鉄筋工のスラブ型枠への配筋後に軽量埋込材の設置者が設置できるスペーサおよびその設置方法を提供することである。【解決手段】  スペーサ１は、スラブ下端筋２０を載置する下端筋載置部２の所定箇所に支持軸５が設けられ、該支持軸５の下側にスラブ型枠２３の差込孔２５に嵌入されるアンカー４が取り付けられ、支持軸５の上側には上端筋載置部３が支柱部材１５で取り付けられたことである。【選択図】図１
2006152703.tif 000002
【特許請求の範囲】
【請求項１】
スラブ下端筋を載置する下端筋載置部の偏心位置に支持軸が設けられ、該支持軸の下側にスラブ型枠の差込孔に嵌入されるアンカーが取り付けられ、支持軸の上側には上端筋載置部が支柱部材で取り付けられたことを特徴とするスペーサ。
【請求項２】
下端筋載置部は、支持軸から二方向へ延びた載置片に支持脚が設けられ、これらの支持脚が連結片で連結されてなることを特徴とする請求項１に記載のスペーサ。
【請求項３】
下端筋載置部の支持軸と支持脚とは平面三角形または扇形の角部に位置したことを特徴とする請求項１または２に記載のスペーサ。
【請求項４】
スラブ型枠にスラブ下端筋を配筋した後、該スラブ下端筋近傍の底板に差込孔を開口し、請求項１の下端筋載置部におけるアンカーを前記差込孔に嵌入した後、前記アンカーを軸にして下端筋載置部を回転させてスラブ下端筋の下側に差し込むことを特徴とするスペーサの設置方法。
【請求項５】
スラブ下端筋を載置する下端筋載置部の所定箇所に支持軸が設けられ、該支持軸の上側に上端筋載置部が支柱部材で取り付けられたスペーサを形成し、該スペーサの下端筋載置部を、スラブ型枠に配筋したスラブ下端筋の適宜箇所を持ち上げて底板との間にあけた空隙部に差し込んで、その重量によって下端筋載置部を固定することを特徴とするスペーサの設置方法。
【請求項６】
下端筋載置部は、支持軸から複数の方向へ延びた載置片に支持脚が設けらてなることを特徴とする請求項５に記載のスペーサの設置方法。
【請求項７】
下端筋載置部の支持軸には上面のみ開口した支柱部材の固定孔が設けられたことを特徴とする請求項５または６に記載のスペーサの設置方法。
【発明の詳細な説明】
【技術分野】
【０００１】
本発明はスペーサおよびその設置方法に関するものである。
【背景技術】
【０００２】
中空スラブの構築において軽量埋込材のコンクリート打設時の浮き上がりを防ぐために、特開２００４−１２４６５３号公報のスラブスペーサが提案されている。これはスラブスペーサでスラブ上端筋を拘束して、軽量埋込材のコンクリート打設時の浮き上がりを防ぐものである。
【特許文献１】特開２００４−１２４６５３号公報
【発明の開示】
【発明が解決しようとする課題】
【０００３】
しかし、上記のようなスラブスペーサは、鉄筋工のスラブ型枠への配筋前に軽量埋込材の設置者が設置しているため、二重手間となって効率的な作業ができないという問題があった。
【０００４】
本発明は上記のような問題に鑑みてなされたものであり、その目的は、鉄筋工のスラブ型枠への配筋後に軽量埋込材の設置者が設置できるスペーサおよびその設置方法を提供することである。
【課題を解決するための手段】
【０００５】
課題を解決するための本願発明のスペーサは、スラブ下端筋を載置する下端筋載置部の偏心位置に支持軸が設けられ、該支持軸の下側にスラブ型枠に開口された差込孔に嵌入されるアンカーが取り付けられ、支持軸の上側には上端筋載置部が支柱部材で取り付けられたことを特徴とする。また下端筋載置部は、支持軸から二方向へ延びた載置片に支持脚が設けられ、これらの支持脚が連結片で連結されてなることを含む。また下端筋載置部の支持軸と支持脚とは平面三角形または扇形の角部に位置したことを含むものである。
【０００６】
またスペーサの設置方法は、スラブ型枠にスラブ下端筋を配筋した後、該スラブ下端筋の近傍の底板に差込孔を開口し、請求項１の下端筋載置部のアンカーを前記差込孔に嵌入した後、前記アンカーを軸にして下端筋載置部を回転させてスラブ下端筋の下側に差し込むことを特徴とする。また下端筋載置部は、支持軸から二方向へ延びた載置片に支持脚が設けられてなることを含む。また下端筋載置部の支持軸と支持脚とは平面三角形または扇形の角部に位置したことを含むものである。
【０００７】
またスペーサの設置方法は、スラブ下端筋を載置する下端筋載置部の所定箇所に支持軸が設けられ、該支持軸の上側に上端筋載置部が支柱部材で取り付けられたスペーサを形成し、該スペーサの下端筋載置部を、スラブ型枠に配筋したスラブ下端筋の適宜箇所を持ち上げて底板との間にあけた空隙部に差し込んで、その重量によって下端筋載置部を固定することを特徴とする。また下端筋載置部は、支持軸から複数の方向へ延びた載置片に支持脚が設けられ、これらの支持脚が連結片で連結されてなることを含む。また下端筋載置部の支持軸には上面のみ開口した支柱部材の固定孔が設けられたことを含むものである。
【発明の効果】
【０００８】
スラブ下端筋を載置する下端筋載置部の偏心位置に支持軸が設けられ、該支持軸の下側にはスラブ型枠に開口された差込孔に嵌入されるアンカーが取り付けられたことにより、該下端筋載置部がアンカーを軸にして回転できるので、スラブ下端筋を配筋した後でも差込孔をスラブ型枠の底板に開口することができる。またスラブ型枠にスラブ下端筋を配筋した後に、差込孔を開口し、この差込孔にアンカーを嵌入することにより、軽量埋込材の設置者がスペーサを設置することができる。またスラブ下端筋で下端筋載置部を固定するので、上端筋載置部の安定した設置ができる。
【発明を実施するための最良の形態】
【０００９】
以下、本願発明のスペーサおよびその設置方法の実施の形態を図面に基づいて説明する。はじめに、スペーサについて説明し、その後に、この設置方法について説明するが、各実施の形態において同じ構成は同じ符号を付して説明し、異なった構成にのみ異なった符号を付して説明する。
【００１０】
図１は、第１の実施の形態のスペーサ１を示したものであり、このスペーサ１は下端筋載置部２と上端筋載置部３とから構成されている。
【００１１】
この下端筋載置部２は支持軸５から直角の二方向へ延びた載置片６に支持脚７が設けられ、これらの支持脚７が湾曲状の連結片８で連結されて平面扇形に形成され、この扇の要、すなわち下端筋載置部２の偏心位置に支持軸５が位置している。この支持軸５は内側に雌ネジ部９が設けられた袋ナットであり、その下側にアンカー４が取り付けられ、その上側には上端筋載置部３が支柱部材１５で取り付けられている。
【００１２】
このアンカー４は円盤１１上面の接続ボルト１０と、円盤１１下面の差込ピン１２とからなり、この差込ピン１２には下側から上側に向かって外側に開いた二つの掛止片１３が設けられ、この掛止片１３は内側に閉じることができるようになっている。
【００１３】
一方、上端筋載置部３は、下側の雄ネジ部１４で支持軸５にねじ込まれた支柱部材１５と、この支柱部材１５の上端部に設けた載置片１６とから構成されている。したがって、上端筋載置部３は支持軸５から自由に取り外しできるようになっている。
【００１４】
なお、下端筋載置部２は、二つの支持脚７を直線状の連結片で接続して二等辺三角形状（図示せず）にすることもでき、この三角形の直角部に支持軸５が設けられる。
【００１５】
また図２は第２の実施の形態のスペーサ１８を示したものである。このスペーサ１８は第１の実施の形態のスペーサ１からアンカー４を取り除き、かつ下端筋載置部２の支持軸５に上面のみ開口した支柱部材の固定孔１７を設けたものであり、これ以外は第１の実施の形態のスペーサ１と同じ構成である。
【００１６】
また図３は第３の実施の形態のスペーサ１９を示したものである。このスペーサ１９は下端筋載置部２が支持軸５から複数の方向、例えば四方向へ延びた載置片６に支持脚７（支持脚７同士は連結片８で連結されていない）が設けられて構成されたものであり、これ以外は第２の実施の形態のスペーサ１８と同じ構成である。
【００１７】
次に、上記のスペーサの設置方法について説明する。まず、第１の実施の形態のスペーサ１を設置する方法について説明するが、このスペーサ１は中空スラブを構築するスラブ型枠の底板に、スラブ下端筋を配筋した後に設置するものである。
【００１８】
はじめに、スペーサ１の支持軸５から上端筋載置部３を取り外しておく。次に、スラブ型枠２３に縦筋２１ａと横筋２１ｂとからなるスラブ下端筋２０を配筋する。そして、図４の（１）に示すように、縦筋２１ａと横筋２１ｂとの交差部２２近傍の底板２４に差込孔２５を開口する。次に、同図の（２）に示すように、この差込孔２５にアンカー４を差し込んで、交差部２２の角部２６に下端筋載置部２を設置する。
【００１９】
この設置方法は、図５に示すように、差込孔２５に差込ピン１２を差し込むと掛止片１３が内側に閉じ、該掛止片１３が差込孔２５を抜けると元に戻って底板２４下面に当接されるとともに、円盤１１が差込孔２５に嵌合されて行われる。このように差込孔２５にアンカー４が固定されるので、このアンカー４を軸にして上端筋載置部２が回転できるようになる。
【００２０】
次に、図６の（１）に示すように、交差部２２を少し持ち上げて底板２４との間にあいた空隙部、すなわち交差部２２の下側に下端筋載置部２を回転させて差し込むと、同図の（２）に示すように、載置片６の上に縦筋２１ａと横筋２１ｂとが載った状態になる。そして、このような下端筋載置部２の差し込みを、スラブ型枠２３の適宜箇所でおこなう。
スペーサ１の支持軸５から上端筋載置部３を取り外しておく。
【００２１】
次に、図７に示すように、下端筋載置部２の支持軸５の上側に支柱部材１５をねじ込んで上端筋載置部３を取り付けるとともに、載置片１６にスラブ上端筋２７を配筋して、結束線２８で結束する。したがって、このスペーサ１に結束されたスラブ上端筋２７により、スラブ下端筋２０との間に設置された軽量埋込材（図示せず）のコンクリート打設時の浮き上がりを防止することができる。
【００２２】
なお、この実施の形態においては、支持軸５から上端筋載置部３を取り外してアンカー４を差込孔２５に差し込んだが、支持軸５に上端筋載置部３を取り付けたままでアンカー４を差込孔２５に差し込むこともできる。
【００２３】
次に、第２の実施の形態のスペーサ１８を設置する方法について説明するが、この方法は底板２４に差込孔２５を開口せずに、スラブ下端筋で下端筋載置部を押さえ付けておこなうものである。
【００２４】
まず、図８の（１）に示すように、支持軸５に上端筋載置部３を取り付けたスペーサ１８をスラブ下端筋２０の交差部２２における角部２６に設置する。
【００２５】
次に、この交差部２２を少し持ち上げて底板２４との間にあいた間隙部、すなわち交差部２２の下側に下端筋載置部２を、支持軸５を中心に回転させて差し込むと、同図の（２）に示すように、載置片６の上に縦筋２０と横筋２１とが載り、この重さによって下端筋載置部２が固定される。すなわち、スラブ下端筋２０で下端筋載置部２を押さえ付けてスペーサ１８を固定する。そして、このような下端筋載置部２の差し込みを、スラブ型枠２３の適宜箇所でおこなう。
【００２６】
また、図９に示すように、上端筋載置部３の載置片１６にスラブ上端筋２７を配筋して結束線２８で結束する。したがって、このスペーサ１８に結束されたスラブ上端筋２７によって、複数のスペスペーサ１８が連結され、スラブ全体として安定させることができる。
【００２７】
なお、第３の実施の形態のスペーサ１９を設置する方法も、上記の第２の実施の形態のスペーサ１８を設置する方法と同じ方法で行うものとする。
【図面の簡単な説明】
【００２８】
【図１】第１の実施の形態のスペーサであり、（１）は断面図、（２）は（１）のＡ−Ａ断面図である。
【図２】第２の実施の形態のスペーサであり、（１）は断面図、（２）は（１）のＢ−Ｂ断面図である。
【図３】第３の実施の形態のスペーサであり、（１）は断面図、（２）は（１）のＣ−Ｃ断面図である。
【図４】第１の実施の形態のスペーサの設置方法を示し、（１）は底板に差込孔を開口した平面図、（２）はスペーサを設置した平面図である。
【図５】差込孔にアンカーを差し込むものであり、（１）は差込孔にアンカーを差し込んだ断面図、（２）は下端筋載置部を固定した断面図、（３）は（２）のＤ−Ｄ線断面図である。
【図６】（１）は下端筋載置部を回転して鉄筋の下側に差し込んだ平面図、（２）は同断面図である。
【図７】下端筋載置部に上端筋載置部を設置した断面図である。
【図８】第２の実施の形態のスペーサの設置方法を示し、（１）は下端筋載置部を設置した平面図、（２）は下端筋載置部を回転させて鉄筋の下側に差し込んだ平面図である。
【図９】下端筋載置部を回転させて鉄筋の下側に差し込んだ断面図である。
【符号の説明】
【００２９】
１、１８、１９  スペーサ
２  下端筋載置部
３  上端筋載置部
４  アンカー
５  支持軸
６、１６  載置片
７  支持脚
８  連結片
９  雌ネジ部
１０  接続ボルト
１１  円盤
１２  差込ピン
１３  掛止片
１４  雄ネジ部
１５  支柱部材  
１７  固定孔
２０  スラブ下端筋
２１ａ  縦筋
２１ｂ  横筋
２２  交差部
２３  スラブ型枠
２４  底板
２５  差込孔
２６  角部
２７  スラブ上端筋
２８  結束線
【図１】
2006152703.tif 000003
【図２】
2006152703.tif 000004
【図３】
2006152703.tif 000005
【図４】
2006152703.tif 000006
【図５】
2006152703.tif 000007
【図６】
2006152703.tif 000008
【図７】
2006152703.tif 000009
【図８】
2006152703.tif 000010
【図９】
2006152703.tif 000011